(57)【特許請求の範囲】
【請求項１】
乾燥、籾摺、籾選別、粒径選別などの穀物調製装置を複数基備えた穀物調製機または穀物調製施設において各穀物調製装置に穀物を均等に分配して供給する方法であって、シュートを通して流下する穀物を当該シュートの下方に３６０度振り分け流下させ、この３６０度振り分け流下する穀物を、穀物の３６０度振り分け流下位置で均等に開口する各穀物調製装置の穀物供給分配口に順次流入させることにより、各穀物調製装置に穀物を均等に分配供給することを特徴とする穀物の均等分配方法。
【請求項２】
乾燥、籾摺、籾選別、粒径選別などの穀物調製装置を複数基備えた穀物調製機または穀物調製施設において、穀物を流下させるシュートと、このシュートの下端開口に対応しかつ一方向に連続回転する穀物の３６０度振り分け樋と、この３６０度振り分け樋の穀物の振り分け位置で均等に開口する各穀物調製装置への穀物供給分配体から成り、シュートに供給した穀物を上記穀物供給分配体の各開口に順次流入させることにより複数基の穀物調製装置に均等に分配供給する構成としたことを特徴とする穀物の均等分配装置。
【請求項３】
シュート、３６０度振り分け樋および穀物供給分配体の周囲を外装体で包囲し、穀物供給分配体の穀物流下路を通して吸引風を流通させる吸引排塵機を外装体の上部に設けたことを特徴とする請求項２記載の穀物の均等分配装置。
【請求項４】
シュートは、穀物が透過しない多孔状として、吸引排塵機による吸引風が流通するように構成したことを特徴とする請求項２または３記載の穀物の均等分配装置。
【請求項５】
３６０度振り分け樋の下方に、振り分けた穀物を穀物供給分配体の開口に流下案内する空洞の案内体を設けたことを特徴とする請求項２、３、４のいずれか１項記載の穀物の均等分配装置。
【請求項６】
空洞の案内体に、３６０度振り分け樋の回転駆動電動機を内蔵させたことを特徴とする請求項５記載の穀物の均等分配装置。
【発明の詳細な説明】
【０００１】
【発明の属する技術分野】
本発明は、乾燥、籾摺、籾選別、粒径選別などの穀物調製装置を複数基備えた穀物調製機または穀物調製施設において各穀物調製装置に穀物を均等に分配して供給する穀物の均等分配方法およびその装置に関する。
【０００２】
【従来の技術】
乾燥、籾摺、籾選別、粒径選別などの穀物調製機または穀物調製施設においては、それらの穀物調製装置を複数基備えて構成されたものがある。例えば、特公昭６３−３３４３０号公報は、穀物の粒径選別により屑粒を選別除去する選別装置として、回転角筒型の回転選別筒を複数基備えて成る穀物選別機を示している。
【０００３】
このように、複数基の穀物調製装置を備えて成る穀物調製機または穀物調製施設においては、各穀物調製装置に対して穀物を均等に分配供給するうえで、前掲の特公昭６３−３３４３０号公報に記載されている穀物選別機においても、各回転選別筒に穀物を流入する流穀路を並べて接続した均分ホッパーと、この均分ホッパーの幅に穀物を均等な層厚とする振動送穀樋とを設けて、供給ホッパーに投入した穀物を各回転選別筒に対し均等に分配する工夫がなされている。
【０００４】
【発明が解決しようとする課題】
しかしながら、上記のような振動送穀樋による穀物の層幅拡大と層厚の均等調整手段では、穀物の供給量が大きく変動したり、穀物の性状が均一でないときには、振動送穀樋上で穀物の層厚が均等にならす、各回転選別筒に対し穀物を必ずしも均等に分配供給することができないのが実状である。
【０００５】
そこで、本発明は、上述のような実状に鑑み、シュートを通して流下する穀物を当該シュートの下方に３６０度振り分け流下させて、各穀物調製装置の穀物供給分配口に順次流入させることにより、穀物の供給量の変動や穀物の性状等の如何にかかわらず、複数基の穀物調製装置に穀物を均等に分配供給することができる穀物の均等分配方法およびその装置を提供することを目的とするものである。
【０００６】
【課題を解決するための手段】
上記目的を達成するため本発明の請求項１に係る穀物の均等分配方法は、乾燥、籾摺、籾選別、粒径選別などの穀物調製装置を複数基備えた穀物調製機または穀物調製施設において各穀物調製装置に穀物を均等に分配して供給する方法であって、シュートを通して流下する穀物を当該シュートの下方に３６０度振り分け流下させ、この３６０度振り分け流下する穀物を、穀物の３６０度振り分け流下位置で均等に開口する各穀物調製装置の穀物供給分配口に順次流入させることにより、各穀物調製装置に穀物を均等に分配供給することを特徴とするものである。
【０００７】
また、本発明の請求項２に係る穀物の均等分配装置は、乾燥、籾摺、籾選別、粒径選別などの穀物調製装置を複数基備えた穀物調製機または穀物調製施設において、穀物を流下させるシュートと、このシュートの下端開口に対応しかつ一方向に連続回転する穀物の３６０度振り分け樋と、この３６０度振り分け樋の穀物の振り分け位置で均等に開口する各穀物調製装置への穀物供給分配体から成り、シュートに供給した穀物を上記穀物供給分配体の各開口に順次流入させることにより複数基の穀物調製装置に均等に分配供給する構成としたことを特徴とするものである。
【０００８】
本発明の請求項３に係る穀物の均等分配装置は、請求項２の構成において、シュート、３６０度振り分け樋および穀物供給分配体の周囲を外装体で包囲し、穀物供給分配体の穀物流下路を通して吸引風を流通させる吸引排塵機を外装体の上部に設けたことを特徴とするものである。
【０００９】
本発明の請求項４に係る穀物の均等分配装置は、請求項２または３の構成において、シュートは、穀物が透過しない多孔状として、吸引排塵機による吸引風が流通するように構成したことを特徴とするものである。
【００１０】
本発明の請求項５に係る穀物の均等分配装置は、請求項２ないし４のいずれかの構成において、３６０度振り分け樋の下方に、振り分けた穀物を穀物供給分配体の開口に流下案内する空洞の案内体を設けたことを特徴とするものである。
【００１１】
本発明の請求項６に係る穀物の均等分配装置は、請求項２ないし５のいずれかの構成において、空洞の案内体に、３６０度振り分け樋の回転駆動電動機を内蔵させたことを特徴とするものである。
【００１２】
【発明の実施の形態】
図面は本発明の一実施の形態として穀物を粒径選別する穀物選別機を例示している。図１は本発明に係る装置を備えた穀物選別機の全体構成を示す一部破断側面図、図２は本発明に係る装置の縦断正面図、図３は同じく縦断側面図、図４は穀物選別機と本発明に係る装置との関連構成を示す一部縦断正面図、図５は本発明に係る装置の縦断側面図、図６は本発明に係る装置の要部構成を示す分解斜視図である。図７は本発明に係る装置の他例を示す縦断側面図である。
【００１３】
図１ないし図６において、１は選別機本体であり、その外装体２内には多角形で多孔状の回転選別筒３が上下３段にわたり設けられており、かつそれが左右２系統にわたって設けられている。各回転選別筒３は、一方から他方に傾斜状をなしている。回転選別筒３は、その表面が多孔状のものであって、上段から下段に順次に孔径を小さくしている。４は穀物供給部であって本発明に係る穀物の均等分配装置で構成されている。
【００１４】
本発明に係る穀物の均等分配装置は、穀物を流下させるシュート５と、このシュート５の下端開口に対応しかつ一方向に連続回転する穀物の３６０度振り分け樋６と、この３６０度振り分け樋６の穀物の振り分け位置で均等に開口する穀物供給分配体７から成り、シュート５、３６０度振り分け樋６および穀物供給分配体７の周囲は外装体８で包囲して、その上部に吸引排塵機９を設けている。吸引排塵機９は、穀物供給分配体７の各穀物流下路１０を通して吸引風を流通させて、塵埃を吸引排出するためのものである。
【００１５】
シュート５は、垂直細管状のものであり、その上下端が開口していて、上端は拡径状の穀物投入部を成しており、下端は３６０度振り分け樋６の基端側上に対応している。３６０度振り分け樋６は、先端および上端を開放状とした傾斜樋状のものであり、その下方に位置する回転駆動電動機１１に軸支されて、シュート５の軸心を中心として一方向に連続回転するものである。
【００１６】
３６０度振り分け樋６の下方には、振り分けた穀物を穀物供給分配体７の開口に流下案内する空洞の案内体１２が設けられており、回転駆動電動機１１はこの空洞の案内体１２に内蔵させている。空洞の案内体１２は外装体５との間に穀物の３６０度振り分け流下路１３を形成しており、前記穀物供給分配体７の上端開口側はこの３６０度振り分け流下路１３に接続されている。穀物供給分配体７の各穀物流下路１０は、それぞれ各回転選別筒３の穀物供給側に接続されている。
【００１７】
以上のように構成された穀物選別機において、穀物供給部４を構成している穀物の均等分配装置のシュート５の上端から穀物（玄米）を投入すると、穀物はシュート５を通り、一方向に連続回転している３６０度振り分け樋６上に流下する。そして、３６０度振り分け樋６により、シュート５の軸心を中心としてその下方に穀物が３６０度振り分け流下し、穀物供給分配体７の各開口に順次流入させるので、シュート５に投入する穀物の供給量に変動があっても、また穀物の性状等が均一でなくても、３６０度振り分け樋６から穀物供給分配体７の各開口に流入する穀物の量が均等になり、各回転選別筒３に穀物を均等に分配供給することができる。
【００１８】
一方、穀粒供給部４において、シュート５、３６０度振り分け樋６および穀物供給分配体７の周囲を包囲する外装体８には、吸引排塵機９を設けているので、この吸引排塵機９により、穀物供給分配体７の各穀物流下路１０を通して吸引風を流通させて、各回転選別筒３内の塵埃を吸引排出することができる。
【００１９】
３６０度振り分け樋６を回転駆動する駆動電動機１１は、３６０度振り分け樋６の下方で、穀物の３６０度振り分け流下路１３を形成する空洞の案内体１２に内蔵しているので、３６０度振り分け樋６の下方に生じる空間を有効に利用して、回転電動機１１を収蔵することができるとともに、回転駆動電動機１１による３６０度振り分け樋６の回転軸支構造の簡素化を図ることができる。
【００２０】
また、図７に示すように、シュート５を穀物が透過しない多孔状にして、吸引排塵機による吸引風が流通するように構成することにより、穀物がシュート５を流下する流動過程で、穀物に混在する塵埃等を吸引風により効率よく排除することができる。シュート５の多孔形態は、円形のほか長孔など穀物が透過しない孔であれば形状は任意であるが、多孔状とすることにより、比較的大きい塵埃等の排除の効果的である。なお、図７において図５と同符号の部分は同構成であるから、それらの部分の説明は省略する。
【００２１】
本発明の実施の形態としては、穀物を粒径選別する穀物選別機に本発明に係る装置を実施した例を示したが、本発明は、乾燥、籾摺、籾選別、粒径選別などの穀物調製装置を複数基備えた各種の穀物調製機または穀物調製施設に実施できることは勿論である。また、本発明は、その要旨を逸脱しない範囲で種々の態様で実施可能であることも勿論である。
【００２２】
【発明の効果】
本発明に係る穀物の均等分配方法およびその装置によれば、シュートを通して流下する穀物を当該シュートの下方に３６０度振り分け流下させて、各穀物調製装置の穀物供給分配口に順次流入させることにより、穀物の供給量の変動や穀物の性状等の如何にかかわらず、複数基の穀物調製装置に穀物を均等に分配供給することができる。
【図面の簡単な説明】
【図１】本発明に係る装置を備えた穀物選別機の全体構成を示す一部破断側面図である。
【図２】本発明に係る装置の縦断正面図である。
【図３】本発明に係る装置の縦断側面図である。
【図４】穀物選別機と本発明に係る装置との関連構成を示す一部縦断正面図である。
【図５】本発明に係る装置の縦断側面図である。
【図６】本発明に係る装置の要部構成を示す分解斜視図である。
【図７】本発明に係る装置の他例を示す縦断側面図である。他
【符号の説明】
１  選別機本体
２  外装体
３  回転選別筒
４  穀物供給部
５  シュート
６  穀物の３６０度振り分け樋
７  穀物供給分配体
８  外装体
９  吸引排塵機
１０  穀物流下路
１１  回転駆動電動機
１２  空洞の案内体
１３  穀物の３６０度振り分け流下路
【図１】
0003987886.tif 000002
【図２】
0003987886.tif 000003
【図３】
0003987886.tif 000004
【図４】
0003987886.tif 000005
【図５】
0003987886.tif 000006
【図６】
0003987886.tif 000007
【図７】
0003987886.tif 000008